(57)【要約】      （修正有）【課題】杉材の効能を十分に発揮し、閉塞感を感じさせず、また、光の透過を低減した木製室内装置品を提供する。【解決手段】木製室内装置品Ａは、杉材よりなり、断面が円の一部を切除した形態をなす中空の部分円筒体１０であって、その表面周囲に周方向の溝１１ａ、１２ａが形成されている。部分円筒体が、中間に中空層を有する外面湾曲材層１１と内面湾曲材層１２との２層構造よりなり、幅方向に溝が形成された細幅材１５を、幅方向に接合部を屈曲させながら複数連結して円弧状に形成した湾曲板から構成されているのが好ましい。【選択図】図１
0003199279.tif 000002
【実用新案登録請求の範囲】
【請求項１】
杉材よりなり、断面が円の一部を切除した形態をなす中空の部分円筒体であって、
その表面周囲の周方向に木口に沿った溝が形成されてなる
ことを特徴とする木製室内装置品。
【請求項２】
前記溝を設けた表面が、前記部分円筒体の外面又は内面のいずれか一方又は双方である
ことを特徴とする請求項１に記載の木製室内装置品。
【請求項３】
前記部分円筒体が、中間に中空層を有する外面湾曲材層と内面湾曲材層との２層構造よりなる
ことを特徴とする請求項１又は２に記載の木製室内装置品。
【請求項４】
杉材よりなり、その幅方向に溝が形成された細幅材を、その幅方向に接合部を屈曲させながら複数連結して円弧状に形成した湾曲板から部分円筒体が構成されてなる
ことを特徴とする請求項１〜３のいずれか１項に記載の木製室内装置品。
【請求項５】
前記部分円筒体の円周方向の各端部の一方又は双方に、杉材よりなり、幅方向に溝を形成した直線状の平板を固着により連設した
ことを特徴とする請求項１〜４のいずれか１項に記載の木製室内装置品。
【請求項６】
前記部分円筒体の円周方向の各端部の一方又は双方に、杉材よりなり、幅方向に溝を形成した直線状の平板をヒンジ結合により開閉自在に連設した
ことを特徴とする請求項１〜４のいずれか１項に記載の木製室内装置品。
【請求項７】
前記部分円筒体の円周方向の各端部の一方又は双方に、杉材よりなり、幅方向に溝を形成した直線状の平板を固着により連設し、
当該平板の各端部の一方又は双方に、杉材よりなり、幅方向に溝を形成した開閉板をヒンジ結合により開閉自在に連設した
ことを特徴とする請求項５に記載の木製室内装置品。
【考案の詳細な説明】
【技術分野】
【０００１】
本考案は、木製の室内装置品に関し、特に、杉材により形成され、周方向に溝、特に木口に沿った溝を形成した中空の部分円筒体よりなる装置品であり、長さ方向を上下にして立設させ、机などの周りを囲む衝立として使用したり、長さ方向を水平にし、睡眠時にベッド等に覆い被せて使用するカバーとして使用できるものである。
【背景技術】
【０００２】
従来より机の周りには、机を置いている空間と他の空間とを区画するためにパーティションなどの衝立が使用されることがある。また、ベッドには、睡眠時にレース地や蚊帳地などで形成された天蓋を備えたものがある。
【０００３】
さらに、近年、杉材が有する効能が見直されてきて、杉材を使用した製品が開発されてきている。
【考案の概要】
【考案が解決しようとする課題】
【０００４】
しかしながら、従来使用されているパーティションは、机の四角い天板形状に合わせたて机を取り囲むものであるため、窮屈で閉塞感があった。また、ベッドを天蓋で覆っても光が透過するので、安眠を妨げるおそれがあった。さらに、杉材を凹凸のない平板の状態で使用してもその効能が十分に発揮されないものであった。
【０００５】
そこで、本考案者は、鋭意研究を重ねた結果、杉材の効能を十分に発揮し、閉塞感を感じさせず、また、光の透過を低減した木製室内装置品を開発した。
【課題を解決するための手段】
【０００６】
本考案に係る木製室内装置品は、杉材よりなり、断面が円の一部を切除した形態をなす中空の部分円筒体であって、その表面周囲の周方向に木口に沿った溝が形成されてなることを特徴とするものである。この部分円筒体としては、断面が円の直径で切除した半円筒体はもちろん、断面を円の直径以外の箇所で切断した大小いずれの筒体も含まれる。
【０００７】
上記のように構成した木製室内装置品は、これに取り囲まれても、目に見える箇所が湾曲面であるため閉塞感を感じさせず、また、光を透過しない。しかも、杉材の表面に溝を形成しているため、杉材表面の露出表面積が大きくなり、杉材が有する効果が十分に発揮できる。
【０００８】
なお、杉材が有する効果としては、次のことが知られている。杉材が発するフィトンチッドにより、大気中の有害物質やアトピー、シックハウス症候群の原因であるホルムアルデヒドを吸着する空気の浄化作用が発揮され、人の身体に備わっている免疫体に働きかけて免疫力を高める作用が発揮され、カビやダニ、ウィルスの増殖を抑制する効果が発揮され、睡眠を促し、血圧を低下させる作用、身体能力の維持改善作用、脳内活性化作用、いびきやぜんそくを抑制する作用、疲労の軽減回復作用等が発揮される効果を有している。また、樹木であるために、水分保持機能を有していて室内の湿度を調整する作用が発揮される。本考案における前記の溝は木口に沿った溝であるため、杉材から大量のフィトンチッドが発せられる。
【０００９】
また、上記の構成に加えて、本考案に係る木製室内装置品は、前記溝を設けた表面が、前記部分円筒体の外面又は内面のいずれか一方又は双方である構成としてもよい。
【００１０】
上記のように構成した木製室内装置品は、人に面する方の内面側は人に対して杉材の作用効果が発揮され、外面側は室内空間全体に対して杉材の作用効果が発揮される。
【００１１】
さらに、上記の構成に加えて、本考案に係る木製室内装置品は、前記部分円筒体が、中間に中空層を有する外面湾曲材層と内面湾曲材層との２層構造よりなる構成としてもよい。
【００１２】
上記のように構成した木製室内装置品は、木材の熱伝導率が金属に比較してかなり小さく、また、中空層が断熱効果を有するため、木製室内装置品の外側の室温が高くなっても、木製室内装置品の内側の温度がすぐに高くなるようなことはなく、逆に木製室内装置品の外側の室温が低くなっても、木製室内装置品の内側の温度がすぐに低くなるようなことはない。したがって、上記の杉材が有する作用効果に加えて、より一層自然的な空調作用が発揮される。
【００１３】
さらにまた、上記の構成に加えて、本考案に係る木製室内装置品は、杉材よりなり、その幅方向に溝が形成された細幅材を、その幅方向に接合部を屈曲させながら複数連結して円弧状に形成した湾曲板から部分円筒体が構成されてなるようにしてもよい。
【００１４】
上記のように構成した木製室内装置品は、杉材自体を湾曲させる必要なく製造できる利点があり、また、容易に解体できる利点がある。
【００１５】
また、上記の構成に加えて、本考案に係る木製室内装置品は、前記部分円筒体の円周方向の各端部の一方又は双方に、杉材よりなり、幅方向に溝を形成した直線状の平板を固着により連設した構成としてもよい。
【００１６】
上記のように構成した木製室内装置品は、部分円筒体の開口部に連設された平板が、当該木製室内装置品を長さ方向を上下にして立てて使用する場合は内部の奥行きを長くして内部の使用面積を大きくする役目を果たし、当該木製室内装置品を長さ方向を水平にして使用する場合は、平板は垂直脚の役目を果たす。
【００１７】
さらに、上記の構成に加えて、本考案に係る木製室内装置品は、前記部分円筒体の円周方向の各端部の一方又は双方に、杉材よりなり、幅方向に溝を形成した直線状の平板をヒンジ結合により開閉自在に連設した構成としてもよい。
【００１８】
上記のように構成した木製室内装置品は、部分円筒体の開口部に開閉自在の平板が設置されることになるので、当該木製室内装置品を長さ方向を上下にして立てて使用する場合は、平板が開閉扉の役目を果たし、平板を閉鎖した場合には、外部からの音や光などが内部へ侵入するのを低減させた閉鎖空間が形成されるため、集中して作業に取り組める空間となるので、作業性が向上する。また、当該木製室内装置品を長さ方向を水平にして使用するときは、平板を閉鎖した場合に、この平板により床面を構成して、杉材により周囲全体を取り囲む形態となるので、杉材が有する効能を最大限に発揮することができる利点がある。
【００１９】
さらにまた、上記の構成に加えて、本考案に係る木製室内装置品は、前記部分円筒体の円周方向の各端部の一方又は双方に、杉材よりなり、幅方向に溝を形成した直線状の平板を固着により連設し、当該平板の各端部の一方又は双方に、杉材よりなり、幅方向に溝を形成した開閉板をヒンジ結合により開閉自在に連設した構成としてもよい。
【００２０】
上記のように構成した木製室内装置品は、部分円筒体の開口部に連設された平板が、当該木製室内装置品を長さ方向を上下して立てて使用する場合は内部の奥行きを長くして内部の使用面積を大きくする役目を果たすと共に、開閉板が開閉扉の役目を果たし、開閉板を閉鎖した場合には、内部に外部からの音や光などの侵入を低減させた閉鎖空間が形成されるため、集中して作業に取り組める空間となり、杉材により周囲全体を取り囲む形態となるので、杉材が有する効能を最大限に発揮することができるので、作業性が向上する。当該木製室内装置品を長さ方向を水平にして使用する場合は、平板は垂直脚の役目を果たすと共に、開閉板を閉鎖した場合には、この開閉板により床面を構成すると、内部に外部からの音や光などの侵入を低減させた閉鎖空間が形成されると共に、杉材により周囲全体を取り囲む形態となるので、杉材が有する効能を最大限に発揮することができる利点がある。
【考案の効果】
【００２１】
以上のように構成した木製室内装置品は、杉材の効能を十分に発揮し、閉塞感を感じさせず、また、光の透過を低減した効果を有するものである。
【図面の簡単な説明】
【００２２】
【図１】本考案の実施例１に係る木製室内装置品を立てた状態を示す部分拡大図付き斜視図である。
【図２】本考案の実施例１に係る木製室内装置品の長さ方向の断面図である。
【図３】本考案の実施例１に係る木製室内装置品の組立方法を示す一部分解斜視図である。
【図４】本考案の実施例１に係る木製室内装置品を立てた状態での使用状態を示す斜視図である。
【図５】本考案の実施例２に係る木製室内装置品を水平に設置した状態を示す斜視図である。
【図６】本考案の実施例３に係る木製室内装置品を水平に設置した状態を示す斜視図である。
【図７】本考案の実施例３に係る木製室内装置品を水平に設置した状態での使用状態を示す斜視図である。
【図８】本考案の実施例４に係る木製室内装置品を立てた状態を示す斜視図である。
【図９】本考案の実施例５に係る木製室内装置品を水平に設置した状態での使用状態を示す断面図である。
【図１０】本考案の実施例６に係る木製室内装置品を立てた状態を示す斜視図である。
【図１１】本考案の実施例７に係る木製室内装置品を水平に設置した状態での使用状態を示す断面図である。
【考案を実施するための形態】
【００２３】
以下、本考案に係る木製室内装置品の好適な実施例を図面に基づいて説明する。
【実施例１】
【００２４】
図１〜図４は実施例１を示し、図１に示すＡは、約２ｍの高さを有する長尺の木製室内装置品を示す。当該木製室内装置品Ａは、その全体が杉材により形成され、その周方向の断面が円の一部を切除した形態をなす中空の部分円筒体の一つである半円筒体１０により構成される。
【００２５】
そして、図２に示すように、半円筒体１０は、外面湾曲材層１１と内面湾曲材層１２とを中空層１３を介して構成された２層構造をなしている。前記外面湾曲材層１１は、その外側表面に周方向の溝１１ａが形成されている。また、前記内面湾曲材層１２は、その内側表面に周方向の溝１２ａが形成されている。
【００２６】
なお、半円筒体は、外面湾曲材層又は内面湾曲材層のいずれか一方の湾曲材層１層の構造としてもよい。その場合に湾曲材層１層の外面側及び内面側のいずれか一方又は双方に周方向の溝が形成されるようにしてもよい。
【００２７】
上記の半円筒体１０は、図３に示すように、外面湾曲材層１１と内面湾曲材層１２とのいずれも、半円状をなす骨組み材（両端部の笠木を含む。以下、同様。）１４に複数の細幅材１５を１枚ずつ嵌め込んで接合し、接着又は釘止めにより固定して形成される。当該細幅材１５は、木製室内装置品Ａの高さである約２ｍの長さで、約１５ｃｍの幅、厚み約１３ｍｍの細幅の杉材であって、半円状をなす骨組み材１４に嵌め込むことにより、その幅方向に接合部を屈曲させながら接合されていくことになり、半円筒体１０は厳密にいえば多角形状をなす。そして、細幅材１５は、その表面に幅方向、すなわち木口（木材の材軸に直角な断面）に沿った方向の溝１１ａ、１２ａが形成されており、複数の細幅材１５を接合させていくと前記の溝１１ａ、１２ａが連続することになり、周方向の溝１１ａ、１２ａが形成されることになる。このように構成した半円筒体１０は、杉材自体を湾曲させる必要なく製造できる利点があり、また、容易に解体できる利点がある。
【００２８】
図４は、上記した木製室内装置品Ａの使用例である。木製室内装置品Ａを立てた状態、すなわち長手方向を上下に設置した状態で、木製室内装置品Ａの内部に机Ｂと椅子Ｃとを設置して学習している状態を示している。このように構成することにより、木製室内装置品Ａは、これに取り囲まれても、目に見える箇所が湾曲面であるため閉塞感を感じさせず、また、光を透過しないので、リラックスした状態で学習することができる。しかも、杉材の表面の内面湾曲材層１２に溝１２ａを形成しているため、杉材表面の露出表面積が大きくなり、木製室内装置品Ａの内部において人に面する方の内面側は人に対して杉材の作用効果が十分に発揮できる。また、杉材の表面の外面湾曲材層１１に溝１１ａを形成しているため、木製室内装置品Ａの外部に対しても杉材が有する効果が十分に発揮できるので、室内環境全体が良好なものとなる。しかも、木製室内装置品Ａは、杉材の熱伝導率が金属に比較してかなり小さく、また、中空層１３が断熱効果を有するため、木製室内装置品Ａの外側の室温が高くなっても、木製室内装置品Ａの内側の温度がすぐに高くなるようなことはなく、逆に木製室内装置品Ａの外側の室温が低くなっても、木製室内装置品Ａの内側の温度がすぐに低くなるようなことはない。したがって、上記の杉材が有する作用効果に加えて、より一層自然的な空調作用が発揮される。
【００２９】
なお、本実施例においては、長さが約２ｍの半円筒体１０をもって木製室内装置品Ａを製作したが、例えば、長さが約１．３ｍの半円筒体をもって木製室内装置品Ａを製作しても、上記と同様の使用が可能であり、その場合には立ち上がれば木製室内装置品の外側の様子を見ることができ、また、上方から木製室内装置品の内部を伺うことができる。
【実施例２】
【００３０】
図５は実施例２を示し、長さが約６０ｃｍの半円筒体２０をもって木製室内装置品Ａ２を構成したものである。本実施例の細部の構造は、上記実施例１と長さが異なるだけで、それ以外は同一の構成である。当該木製室内装置品Ａ２は、例えば、ベッドにおける身体の頭部側の両枠上に架け渡して水平に設置して使用する。また、布団の場合には身体の頭部側を覆い被さるように設置して使用する。
【００３１】
上記のように木製室内装置品Ａ２を使用することにより、人に面する方の内面側は人に対して杉材の作用効果が発揮され、また、光が透過しないので安眠でき、外面側は室内空間全体に対して杉材の作用効果が発揮される。その余の半円筒体２０の構造から生じる作用効果は、長さが相違することを除いて実施例１の半円筒体１０が奏する作用効果と同様である。
【実施例３】
【００３２】
図６及び図７は実施例３を示し、本実施例における木製室内装置品Ａ３は上記実施例２における木製室内装置品Ａ２の構成に加えて、実施例２の半円筒体２０と同一長さ（約６０ｃｍ）で同一構成の半円筒体３０の円周方向の各端部に直線状の平板３１を固着により連設したものである。当該平板３１は杉材より形成され、その外面及び内面において半円筒体２０と同様の溝を幅方向（半円筒体３０における溝と同方向）に形成したものである。当該平板３１について、実施例１において説明したように骨組み材に細幅材を嵌め込んで形成することにおいて、半円状の骨組み材の下端に直線状の骨組み材を連設しておき、この直線状の骨組み材に実施例１と同様の細幅材を嵌め込んでいくことにより半円筒体３０に平板３１が連設される。
【００３３】
当該木製室内装置品Ａ３は、図７に示すように、ベッドＤにおける身体の頭部側において、ベッドＤの両側の床面から平板３１を垂直脚として立設して半円筒体３０をベッドＤの上部に覆い被さるように設置して使用する。このように設置して使用することにより、人に面する方の内面側は人に対して杉材の作用効果が発揮され、外面側は室内空間全体に対して杉材の作用効果が発揮される。また、実施例２においては、ベッドの身体の頭部側の両枠上に設置しなければならないため、ベッドの幅に半円筒体２０の幅を合致させる設計を必要とする。その理由は実施例２の木製室内装置品Ａ２では平板３１を設けていないので高さが低いことによる。本実施例においては、平板３１を設けているため十分な高さが確保できるため、ベッドＤの幅より半円筒体３０の幅を大きくすれば、平板３１を床面に立設する垂直脚とすることができるので、ベッドＤの幅に半円筒体３０の幅を合わせる必要がない。その余の半円筒体３０の構造から生じる作用効果は、長さが相違することを除いて実施例１の半円筒体１０が奏する作用効果と同様である。
【００３４】
なお、本実施例における木製室内装置品Ａ３の長さを実施例１の木製室内装置品Ａのように長くし（約２ｍ）、長さ方向を上下にして立てて使用すれば、内部の奥行きが長くなって内部の使用面積が広くなるので使用勝手が向上する。
【実施例４】
【００３５】
図８は実施例４を示し、木製室内装置品Ａ４は、実施例１の半円筒体１０と同一長さ（約２ｍ）で同一構成の半円筒体４０の円周方向の各端部に、杉材より形成された幅方向（半円筒体４０における溝と同方向）に溝を有する直線状の平板４１をヒンジ結合により開閉自在に連設したものである。
【００３６】
本実施例における木製室内装置品Ａ４は、上記のように構成したことにより、図８に示すように、木製室内装置品Ａ４をその長さ方向を上下として立てて使用すると、平板４１が開閉扉の役目を果たすことになり、平板４１を閉じた場合には、木製室内装置品Ａ４に対して外部からの音や光などが木製室内装置品Ａ４の内部へ侵入するのを低減させた閉鎖空間が形成されるため、集中して作業に取り組める空間となるので、作業性が向上する。その余の半円筒体４０の構造から生じる作用効果は、実施例１の半円筒体１０が奏する作用効果と同様である。
【実施例５】
【００３７】
図９は実施例５を示し、上記した実施例３における平板３１を、ヒンジ構造により開閉自在とした平板５１に変更したものである。すなわち、木製室内装置品Ａ５は、実施例３の半円筒体３０と同一長さ（約６０ｃｍ）で同一構成の半円筒体５０の円周方向の各端部に、杉材より形成された幅方向（半円筒体５０における溝と同方向）に溝を有する直線状の平板５１をヒンジ結合により開閉自在に連設したものである。
【００３８】
本実施例における木製室内装置品Ａ５は、上記のように構成したことにより、図９に示すように、木製室内装置品Ａ５を長さ方向を水平にして使用するときは、平板５１を閉鎖した場合に、この平板５１により床面を構成し、その内部の床面上にマットレスＥを敷き、その上に掛け布団Ｆを掛けるようにして、身体の頭部側を木製室内装置品Ａ５が覆い被さるように使用すれば、杉材により周囲全体を取り囲む形態となるので、杉材が有する効能を最大限に発揮することができる利点がある。その余の半円筒体５０の構造から生じる作用効果は、長さが相違することを除いて実施例１の半円筒体１０が奏する作用効果と同様である。
【実施例６】
【００３９】
図１０は実施例６を示し、本実施例における木製室内装置品Ａ６は、実施例１の半円筒体１０と同一長さ（約２ｍ）で同一構成の半円筒体６０に、円周方向の各端部に、杉材より形成された幅方向（半円筒体６０における溝と同方向）に溝を有する直線状の平板６１を固着により連設し、平板６１の各端部に、杉材より形成された幅方向に溝、すなわち半円筒体６０に形成された溝と同方向の溝を有する開閉板６２をヒンジ結合により開閉自在に連設したものである。
【００４０】
本実施例における木製室内装置品Ａ６は、上記のように構成したことにより、図１０に示すように、木製室内装置品Ａ６を長さ方向を上下にして立てて使用すると、平板６１により内部の奥行きを長くして内部の使用面積を広くする役目を果たすと共に、開閉板６２が開閉扉の役目を果たし、開閉板６２を閉鎖した場合には、木製室内装置品Ａ６の内部に外部からの音や光などの侵入を低減させた閉鎖空間が形成されるため、集中して作業に取り組める空間となるので、作業性が向上する。その余の半円筒体６０の構造から生じる作用効果は、実施例１の半円筒体１０が奏する作用効果と同様である。
【実施例７】
【００４１】
図１１は実施例７を示し、本実施例は、実施例３の木製室内装置品Ａ３に開閉板を開閉自在に連設したものである。すなわち、本実施例における木製室内装置品Ａ７は、実施例３の半円筒体３０と同一長さ（約６０ｃｍ）で同一構成の半円筒体７０の円周方向の各端部に、杉材より形成された幅方向（半円筒体７０における溝と同方向）に溝を有する直線状の平板７１を固着により連設し、当該平板７１の各端部に杉材より形成された幅方向（半円筒体７０における溝と同方向）に溝を有する開閉板７２をヒンジ結合により開閉自在に連設したものである。これらの各溝は半円筒体７０に形成されたものと同様の構成である。
【００４２】
本実施例における木製室内装置品Ａ７は、上記のように構成したことにより、図１１に示すように、木製室内装置品Ａ７を長さ方向を水平にして使用する場合は、平板７１は垂直脚の役目を果たすと共に、開閉板７２を閉鎖した場合には、これにより床面を構成して、ベッドＤにおける身体の頭部側が半円筒体７０により覆い被さるように設置すれば、木製室内装置品Ａ７の内部に外部からの音や光などの侵入を低減させた閉鎖空間が形成されるので、快適に安眠ができると共に、杉材により身体の頭部側の周囲全体を取り囲む形態となるので、杉材が有する効能を最大限に発揮することができる利点がある。その余の半円筒体６０の構造から生じる作用効果は、長さが相違することを除いて実施例１の半円筒体１０が奏する作用効果と同様である。
【００４３】
以上のとおり、本考案の実施例を説明したが、この実施例は、例として提示したものであり、考案の範囲を限定することは意図していない。この実施例は、その他の様々な形態で実施されることが可能であり、考案の要旨を逸脱しない範囲で、種々の省略、置き換え、変更を行うことができる。この実施例やその変形は、考案の範囲や要旨に含まれると同様に、実用新案登録請求の範囲に記載された考案とその均等の範囲に含まれるものである。
【符号の説明】
【００４４】
Ａ・・・・木製室内装置品
Ｂ・・・・机
Ｃ・・・・椅子
Ｄ・・・・ベッド
Ｅ・・・・マットレス
Ｆ・・・・掛け布団
１０・・・半円筒体
１１・・・外面湾曲材層
１１ａ・・溝
１２・・・内面湾曲材層
１２ａ・・溝
１３・・・中空層
１４・・・骨組み材
１５・・・細幅材
Ａ２・・・木製室内装置品
２０・・・半円筒体
Ａ３・・・木製室内装置品
３０・・・半円筒体
３１・・・平板
Ａ４・・・木製室内装置品
４０・・・半円筒体
４１・・・平板
Ａ５・・・木製室内装置品
５０・・・半円筒体
５１・・・平板
Ａ６・・・木製室内装置品
６０・・・半円筒体
６１・・・平板
６２・・・開閉板
Ａ７・・・木製室内装置品
７０・・・半円筒体
７１・・・平板
７２・・・開閉板
【図１】
0003199279.tif 000003
【図２】
0003199279.tif 000004
【図３】
0003199279.tif 000005
【図４】
0003199279.tif 000006
【図５】
0003199279.tif 000007
【図６】
0003199279.tif 000008
【図７】
0003199279.tif 000009
【図８】
0003199279.tif 000010
【図９】
0003199279.tif 000011
【図１０】
0003199279.tif 000012
【図１１】
0003199279.tif 000013